(57)【特許請求の範囲】
【請求項１】
シールドケーブルに装荷されることで、当該シールドケーブルに重畳した電磁ノイズの伝搬を抑制するシールドケーブル用ノイズフィルタにおいて、
軸心方向に沿って二分割された半円筒形状の誘導性部材から成る誘導性内部フィルタ及び軸心方向に沿って二分割された半円筒形状のフィルタであり、導電筒の内側面に容量性部材が貼り付けられて成る容量性内部フィルタを組み合わせて構成され、前記シールドケーブルに装荷される内部フィルタユニットと、
導電性を有し、前記内部フィルタユニットを電気的に接続した状態で収納する外部筒と、
導電性を有し、前記外部筒を外部の導体に電気的に接続する電気接続部と
を備えたことを特徴とするシールドケーブル用ノイズフィルタ。
【請求項２】
前記内部フィルタユニットは、前記誘導性内部フィルタ、前記容量性内部フィルタ、前記誘導性内部フィルタの順に配置されて構成される
ことを特徴とする請求項１記載のシールドケーブル用ノイズフィルタ。
【請求項３】
前記外部筒は、
筒状の絶縁体と、
前記絶縁体の内側面に配置された第１導電性素材と、
前記絶縁体の前記電気接続部と接触する外側部分に配置され、前記第１導電性素材と電気的に接続された第２導電性素材とを有する
ことを特徴とする請求項１または請求項２記載のシールドケーブル用ノイズフィルタ。
【発明の詳細な説明】
【技術分野】
【０００１】
この発明は、シールドケーブルに装荷されることで、当該シールドケーブルに重畳した電磁ノイズの伝搬を抑制するシールドケーブル用ノイズフィルタに関するものである。
【背景技術】
【０００２】
電磁ノイズの多い環境における通信システム等では、シールドケーブルを利用することで、電磁的に外部から隔離したり、ケーブルからの電磁妨害放射を抑制したりしている。シールドケーブルは、内部の導体線、外部のシールド用外導体（外導体シース）及び保持用の樹脂から構成されている。そして、内部の導体線に通信システムの信号系統を接続し、外導体シースをグラウンドに接続することで、内部の信号系統をグラウンドで包み込んだシールド構造を構成する。
【０００３】
しかし、大電力を取り扱う強電系の機器においては、大電流の帰路となるグラウンドと、弱電系の導体線のグラウンドとを切り離して構成することが多く、それぞれのグラウンドが分離した系統になっている。以下では、強電系の帰路のグラウンドとなる金属筐体等をフレームグラウンド（ＦＧ）、シールドケーブルの外導体に接続する信号系のグラウンドをシグナルグラウンド（ＳＧ）と称す。そして、強電系の機器では、ＦＧ系統とＳＧ系統が切り離されているため、ＳＧに電磁ノイズが重畳された場合は、シールドケーブルの外導体を伝わり、様々な機器に影響を及ぼす可能性がある。
【０００４】
そこで、従来から、ＳＧ系統の電磁ノイズのみを抑制する構成が知られている（例えば特許文献１−４参照）。特許文献１に開示されたノイズフィルタでは、分割形の磁性体コアが収納される固定用ホルダケースに導電性の材料を使用し、固定用ホルダケースにシールド特性をもたせている。そして、このノイズフィルタを、シールド用外導体を取り除いたシールドケーブルに取り付けることによって、シールドケーブル内に磁性体フィルタを形成し、ノイズの伝搬を抑制している。
また、特許文献２に開示されたノイズフィルタでは、筒体に細い導体をスパイラル状に巻き付けて形成したインダクタ（Ｌ）と、この筒体の内側又は外側の対向位置に別の導体を設けることで導体同士の間にできるキャパシタ（Ｃ）とを組み合わせることによって、ＬＣフィルタとしての機能を持たせている。
【０００５】
また、特許文献３に開示されたノイズフィルタでは、ケーブルに、磁性材及び樹脂を混合して形成した筒状磁性体と通常の導電体とを年輪状に重ねて配置することによって、磁性体フィルタを形成している。
さらに、特許文献４に開示されたノイズフィルタ付きコンタクトピンでは、貫通コンデンサの内側電極をコンタクトピンの外導体に接続させ、この貫通コンデンサの外側電極を回路基板の共通電極に接続させることによって、外導体を伝搬するノイズを抑制している。
【先行技術文献】
【特許文献】
【０００６】
【特許文献１】特開平０６−３１０３４０号公報
【特許文献２】特開平０２−２３８７０５号公報
【特許文献３】特開平０３−２１１９０６号公報
【特許文献４】特開平０７−０７３９３５号公報
【発明の概要】
【発明が解決しようとする課題】
【０００７】
しかしながら、特許文献１，３では、ノイズフィルタの構成要素として磁性体のみを使用している。したがって、フィルタ対象とするノイズの周波数によってはフィルタ効果を十分に得ることができないという課題があった。
また、特許文献２では、ＬＣフィルタ機能を持たせた筒体にケーブルを挿入して用いることを目的としていない。したがって、シールドケーブルにフィルタを装荷する際に、シールドケーブルを切断して芯線（導体線）を露出させた後、芯線とフィルタとを接続しなければならず、任意の位置に装荷しづらいという課題があった。
さらに、特許文献４は、コンタクトピンを配置する特定の位置においてフィルタを装荷する構成である。したがって、シールドケーブル上の任意の位置にフィルタを装荷することができないという課題があった。
【０００８】
この発明は、上記のような課題を解決するためになされたもので、様々な種類のシールドケーブルに対応し、かつ、シールドケーブル上の任意の位置において電磁ノイズの伝搬を抑制するシールドケーブル用ノイズフィルタを提供することを目的としている。
【課題を解決するための手段】
【０００９】
この発明に係るシールドケーブル用ノイズフィルタは、軸心方向に沿って二分割された半円筒形状の誘導性部材から成る誘導性内部フィルタ及び軸心方向に沿って二分割された半円筒形状のフィルタであり、導電筒の内側面に容量性部材が貼り付けられて成る容量性内部フィルタを組み合わせて構成され、シールドケーブルに装荷される内部フィルタユニットと、導電性を有し、内部フィルタユニットを電気的に接続した状態で収納する外部筒と、導電性を有し、外部筒を外部の導体に電気的に接続する電気接続部とを備えたものである。
【発明の効果】
【００１０】
この発明によれば、上記のように構成したので、外部筒によって構造的、電気的に固定された内部フィルタユニットを組み合わせて配置することができ、抑制したい多様な電磁ノイズに対して必要なフィルタ特性を持つノイズフィルタを、シールドケーブルの任意の位置に装荷することができる。その結果、シールドケーブルの外導体に重畳した電磁ノイズの伝搬を抑制することができる。
【図面の簡単な説明】
【００１１】
【図１】この発明の実施の形態１に係るノイズフィルタの構成を示す斜視図である。
【図２】この発明の実施の形態１における外部筒の構成を示す斜視図である。
【図３】この発明の実施の形態１における誘導性内部フィルタの構成を示す斜視図である。
【図４】この発明の実施の形態１における容量性内部フィルタの構成を示す斜視図である。
【図５】この発明の実施の形態１に係るノイズフィルタをシールドケーブルに装荷する際の動作を説明する斜視図である。
【図６】この発明の実施の形態１に係るノイズフィルタの等価回路図（π型フィルタ）である。
【図７】この発明の実施の形態１におけるπ型フィルタ、インダクタフィルタ及びコンデンサフィルタの伝搬遮断特性の比較を示す図である。
【図８】この発明の実施の形態１に係るノイズフィルタの等価回路図（Ｔ型フィルタ）である。
【図９】この発明の実施の形態１に係るノイズフィルタの等価回路図（ＬＣフィルタ）である。
【図１０】この発明の実施の形態１に係るノイズフィルタの等価回路図（ＣＬフィルタ）である。
【図１１】この発明の実施の形態１におけるπ型フィルタ、Ｔ型フィルタ、ＬＣフィルタ、ＣＬフィルタ、インダクタフィルタ及びコンデンサフィルタの伝搬遮断特性の比較を示す図である。
【図１２】この発明の実施の形態１における誘導性内部フィルタ及び容量性内部フィルタの回路定数に対するノイズ伝搬抑制量を段数ごとに示す図である。
【図１３】この発明の実施の形態１における誘導性内部フィルタの回路定数の調整に関わるパラメータを示す図である。
【図１４】この発明の実施の形態１における容量性内部フィルタの回路定数の調整に関わるパラメータを示す図である。
【図１５】この発明の実施の形態２における外部筒の構成を示す斜視図である。
【発明を実施するための形態】
【００１２】
以下、この発明の実施の形態について図面を参照しながら詳細に説明する。
実施の形態１．
図１はこの発明の実施の形態１に係るシールドケーブル用ノイズフィルタ１の構成を示す斜視図である。
シールドケーブル用ノイズフィルタ１（以下、ノイズフィルタ１と称す）は、シールドケーブル１０に装荷されて、このシールドケーブル１０に重畳した電磁ノイズの伝搬を抑制するものである。このノイズフィルタ１は、図１に示すように、軸心方向に沿って開閉可能な円筒形状の外部筒２と、シールドケーブル１０に装荷された後に外部筒２内に電気的に接続された状態で収納される内部フィルタユニット３とから構成されている。
内部フィルタユニット３は、分割形の誘導性内部フィルタ４と分割形の容量性内部フィルタ５とを組み合わせることで構成されている。また、外部筒２の外側両端部分は台座（電気接続部）６に固定されており、台座６は図示しない電子機器の筐体（外部の導体）に固定される。
【００１３】
次に、外部筒２の構成について、図２を参照しながら説明する。
外部筒２は、図２に示すように、導体によって構成され、軸心方向に沿って二分割された半円筒形状の下部外部筒２１及び上部外部筒２２から構成されている。そして、下部外部筒２１及び上部外部筒２２の一方の接合部には、他方側を開閉する蝶つがい等の開閉機構２３が設けられている。また、他方の接合部には、閉じた上下部外部筒２１，２２を固定するための固定ストッパ２４が設けられている。
【００１４】
また、台座６は、導体によって構成され、外部筒２の形状に合わせた受け部としての機能と、電子機器の筐体に固定するための接続部としての機能を果たすものである。また、台座６は、外部筒２と電子機器の筐体とを電気的に接続する。この際、例えば、台座６に導電性の接着剤又はテープを貼り付けて筐体に固定することで、電気的な接続を実現する。
なお、電気接続部としては、外部筒２を保持可能であり、かつ、電子機器の筐体と電気的に接続可能な構成であれば、図示した台座６以外の構成でもよく、例えば、導体ネジや導電性の接着剤を用いて、直接、外部筒２を電子機器の筐体に固定するようにしてもよい。
【００１５】
次に、内部フィルタユニット３（誘導性内部フィルタ４、容量性内部フィルタ５）の構成について、図３，４を参照しながら説明する。
誘導性内部フィルタ４は、図３に示すように、軸心方向に沿って二分割された半円筒形状の下部フィルタ筒４１及び上部フィルタ筒４２から構成されている。そして、下部フィルタ筒４１及び上部フィルタ筒４２の一方の接合部には、他方側を開閉する開閉機構（不図示）が設けられている。
この誘導性内部フィルタ４は、フェライト等の磁性体（誘導性部材）４３によって構成されている。また、誘導性内部フィルタ４の外径は、外部筒２の内径と略同一であり、閉じた誘導性内部フィルタ４を外部筒２内に電気的に接続させた状態で収納できるように構成されている。また、誘導性内部フィルタ４の内径は、装荷されるシールドケーブル１０の線径に応じた寸法に構成されている。
【００１６】
一方、容量性内部フィルタ５は、図４に示すように、軸心方向に沿って二分割された半円筒形状の下部フィルタ筒５１及び上部フィルタ筒５２から構成されている。そして、下部フィルタ筒５１及び上部フィルタ筒５２の一方の接合部には、他方側を開閉する開閉機構（不図示）が設けられている。
この容量性内部フィルタ５は、導体筒５３と、導体筒５３の内側面に貼り付けられた誘電体５４等の容量性部材とよって構成されている。また、容量性内部フィルタ５の外径は、外部筒２の内径と略同一であり、閉じた容量性内部フィルタ５を外部筒２内に電気的に接続させた状態で収納できるように構成されている。また、容量性内部フィルタ５の内径は、装荷されるシールドケーブル１０の線径に応じた寸法に構成されている。
【００１７】
次に、上記のように構成されたノイズフィルタ１をシールドケーブル１０に装荷する方法例について、図５を参照しながら説明する。
なお、シールドケーブル１０は、絶縁被覆材と、絶縁被覆材の内側に設けられて電子機器のＳＧ系統を接続する外導体１０１と、外導体１０１の内側に設けられて電子機器の信号系統を接続する導体線（信号線１０２）とから構成されている。
【００１８】
シールドケーブル１０にノイズフィルタ１を装荷する場合には、図５に示すように、まず、内部フィルタユニット３を上下に開き、下部フィルタ筒４１，５１の内部空間に収まるようにシールドケーブル１０を上方から挿入して固定する。続いて、上部フィルタ筒４２，５２を閉じて、シールドケーブル１０に内部フィルタユニット３を装荷する。
【００１９】
次に、内部フィルタユニット３が装荷されたシールドケーブル１０を、内部フィルタユニット３の外側面が外部筒２の内側面に接触するように、位置を合わせて下部外部筒２１に収める。なお図５では、内部フィルタユニット３が、シールドケーブル１０に装荷される前から外部筒２に収納されている場合を示している。
続いて、上部外部筒２２を閉じ、開閉機構２３及び固定ストッパ２４によって上下外部筒２１，２２を固定する。その後、台座６に導電性の接着剤又はテープを貼り付けて電子機器の筐体に固定する。
これにより、容量性内部フィルタ５の導体筒５３、外部筒２、台座６及び電子機器の筐体は、電気的に接続された状態となる。
【００２０】
そして、シールドケーブル１０に装荷されたノイズフィルタ１は、シールドケーブル１０の外導体１０１に重畳した電磁ノイズを、容量性内部フィルタ５の誘電体５４、容量性内部フィルタ５の導体筒５３、外部筒２及び台座６を介して電子機器の筐体（ＦＧ）へグラウンドするように機能する。すなわち、等価的にＳＧ系統とＦＧ系統とを接続する。
【００２１】
一方、シールドケーブル１０に対して、誘導性内部フィルタ４も併せて装荷することで、磁性体４３の性質によるノイズ伝搬抑制を合成することができる。
例えば、シールドケーブル１０に、容量性、誘導性、容量性の順番で配置されたフィルタ４，５からなる内部フィルタユニット３を装荷すると、シールドケーブル１０の外導体１０１に対して、等価的なコンデンサとインダクタの回路素子を挿入した場合と同じ効果を得ることができる。この場合、ノイズフィルタ１は、図６に示すような等価回路となり、π型のＬＣフィルタを形成することが可能となる。
【００２２】
図７に、π型フィルタ、インダクタフィルタ及びコンデンサフィルタによる伝搬遮断特性の比較例を示す。図７に示すように、対象とする電磁ノイズの周波数が図７中のＦより高い帯域において、π型フィルタによる伝搬抑制効果は、インダクタフィルタやコンデンサフィルタと比べて高くなっている。すなわち、π型フィルタは、周波数成分が高周波側に偏っている電磁ノイズに対して有効であることが分かる。
【００２３】
なお、図７では、π型フィルタを例にとって説明を行ったが、本発明におけるフィルタ構成としてはこれに限るものではない。例えば、フィルタ４，５を誘導性、容量性、誘導性の順番で配置したＴ型フィルタ（図８）、フィルタ４，５を１つずつ用いたＬＣフィルタ（図９）やＣＬフィルタ（図１０）等のように構成してもよい。
この場合にも、図１１に示すように、インダクタフィルタやコンデンサフィルタと比べて、高周波帯域で大きな伝搬抑制量を持つことが分かる。なお、図１１に示すＬＣフィルタ及びＣＬフィルタの伝搬抑制量では、ＣとＬの回路定数を同一とした場合について示している。
【００２４】
次に、フィルタ構成による伝搬抑制量の違いについて説明する。
まず、図１１において、各フィルタ構成における周波数に対する伝搬抑制量の落ち込みに着目すると、１段フィルタ（インダクタフィルタやコンデンサフィルタ）、２段フィルタ（ＬＣフィルタやＣＬフィルタ）、３段フィルタ（π型フィルタやＴ型フィルタ）の順に増加していることが分かる。すなわち、フィルタ構成の段数を増加させることで、伝搬抑制量を増加させることができることが分かる。
【００２５】
また、伝搬抑制量は、フィルタ４，５が持つ回路定数によっても変化する。図１２はフィルタ４，５（素子）の回路定数に対する伝搬抑制量を段数ごとに示す図である。この図１２から、回路定数が増加することで伝搬抑制量が下がることが分かる。そして、この回路定数は、フィルタ４，５を構成する材料の性質や、フィルタ４，５の幅や直径等の寸法を変えることで調整することができる。以下、各フィルタ４，５の回路定数の調整方法について説明する。
【００２６】
まず、図１３に誘導性内部フィルタ４の回路定数の調整に関わるパラメータを示す。図１３（ａ）は図３と同一形状の誘導性内部フィルタ４であり、図１３（ｂ）は磁性体４３の厚みを変えた誘導性内部フィルタ４である。この図１３において、ａLは磁性体４３の筒の内半径であり、ｂLは磁性体４３の筒の外半径であり、ｄLは誘電体４３の筒の幅であり、μｒは磁性体４３の比透磁率である。
一方、インダクタの自己インダクタンスＬの値は一般に、真空の透磁率をμ０、磁性体の筒の幅をＷ、磁性体の筒の内半径をＲｉｎ、外半径をＲｏｕｔとすると、次式で表される。
0005881532.tif 000002
【００２７】
これを図１３（ａ）に示す誘導性内部フィルタ４に当てはめると、筒の幅がＷ＝ｄLとなり、磁性体４３の筒の内半径がＲｉｎ＝ａLとなり、外半径がＲｏｕｔ＝ｂLとなる。一方、図１３（ｂ）に示す誘導性内部フィルタ４に当てはめると、磁性体４３の筒の内側の面積がＳ＝２πａL’×ｄLとなり、磁性体の厚みがｄ＝ｂL’−ａL’となる。したがって、例えば、図１３（ａ）の誘導性内部フィルタ４に対して図１３（ｂ）の誘導性内部フィルタ４の磁性体４３の厚みを４倍大きくすると、自己インダクタンスがｌｎ（４）倍になることが式（１）から分かる。また同様に、磁性体４３の幅を４倍大きくすると、自己インダクタンスが４倍になる。さらに、磁性体４３として比透磁率が２倍大きいものを用いた場合には、自己インダクタンスが２倍になる。
【００２８】
次に、図１４に容量性内部フィルタ５の回路定数の調整に関わるパラメータを示す。図１４（ａ）は図４と同一形状の容量性内部フィルタ５であり、図１４（ｂ）は誘電体５４の厚みを変えた容量性内部フィルタ５である。この図１４において、ａCは誘電体５４の筒の内半径であり、ｂCは誘電体５４の筒の外半径であり、ｄCは誘電体５４の筒の幅であり、εｒは誘電体５４の比誘電率である。
一方、コンデンサの静電容量Ｃの値は一般に、真空の誘電率をε０、対向導体板の面積をＳ、対向導体板の間隔をｄとすると、次式で表される。
Ｃ＝ε０×εｒ×（Ｓ／ｄ）            （２）
【００２９】
これを図１４（ａ）に示す容量性内部フィルタ５に当てはめると、誘電体５４の筒の内半径ａCを基準とすると、筒の内側の面積がＳ＝２πａC×ｄCとなり、誘電体５４の厚みがｄ＝ｂC−ａCとなる。一方、図１４（ｂ）に示す容量性内部フィルタ５に当てはめると、誘電体５４の筒の内側の面積がＳ＝２πａC’×ｄCとなり、誘電体５４の厚みがｄ＝ｂC’−ａC’となる。したがって、例えば、図１４（ａ）の容量性内部フィルタ５に対して図１４（ｂ）の容量性内部フィルタ５の誘電体５４の厚みを４倍大きくすると、静電容量が１／４になることが式（２）から分かる。また同様に、誘電体５４の幅を４倍大きくすると、静電容量が４倍になる。さらに、誘電体５４として比誘電率が２倍大きいものを用いた場合には、静電容量が２倍になる。
【００３０】
以上から、フィルタ４，５の段数やその配置、回路定数を変えることで、所望の伝搬抑制量を得ることができる。
【００３１】
以上のように、この実施の形態１によれば、磁性体４３による分割形の誘導性内部フィルタ４及び誘電体５４による分割形の容量性内部フィルタ５を組み合わせて構成され、シールドケーブル１０に装荷される内部フィルタユニット３と、導電性を有し、内部フィルタユニット３を電気的に接続した状態で収納する外部筒２と、導電性を有し、外部筒２を電子機器の筐体に電気的に接続する台座６とを備えるように構成したので、シールドケーブル１０の任意の位置において、多様な電磁ノイズに対するノイズフィルタ１を装荷することができる。その結果、シールドケーブル１０の外導体１０１に重畳した電磁ノイズの伝搬を抑制することができる。
【００３２】
なお、実施の形態１に係るノイズフィルタ１の外部筒２及び内部フィルタユニット３は、シールドケーブル１０の線径に応じて様々な径で作成可能である。これにより、ノイズフィルタ１を様々な種類のシールドケーブル１０に装荷対応させることができ、ノイズフィルタ１の拡張性を高めることができる。
【００３３】
実施の形態２．
実施の形態２は、実施の形態１に示したノイズフィルタ１のうち、外部筒２を外部筒２ｂに変更したものである。それ以外の構成は実施の形態１と同等であり、同一の符号を付してその説明を省略する。
【００３４】
図１５はこの発明の実施の形態２における外部筒２ｂの構成を示す斜視図である。
外部筒２ｂは、図１５に示すように、円筒形状の絶縁体２５と、絶縁体２５の内側面に配置された第１導電性素材２６と、絶縁体２５の台座６と対向する外側両端部分に配置され、第１導電性素材２６と電気的に接続された第２導電性素材２７とから構成されている。
なお、下部外部筒２１及び上部外部筒２２の一方の接合部には、他方側を開閉する蝶つがい等の開閉機構２３が設けられている。また、他方の接合部には、閉じた上下部外部筒２１，２２を固定するための固定ストッパ２４が設けられている。
【００３５】
なお、台座６は、外部筒２ｂの外側両端部分の第２導電性素材２７と接触する位置に配置されているため、本実施の形態における外部筒２ｂの構造により、外部筒２ｂの内側面の第１導電性素材２６と台座６とは電気的に接続が取れている。したがって、外部筒２ｂの外側両端部分において、外部筒２ｂの内側面に配置された第１導電性素材２６を接地することができる。
【００３６】
次に、上記のように構成された外部筒２ｂを、内部フィルタユニット３が装荷されたシールドケーブル１０に装荷する方法を説明する。
まず、内部フィルタユニット３が装荷されたシールドケーブル１０を、内部フィルタユニット３の外側面が外部筒２ｂの内側面に接触するように、位置を合わせて下部外部筒２１に収める。続いて、上部外部筒２２を閉じ、開閉機構２３及び固定ストッパ２４によって上下外部筒２１，２２を固定する。その後、台座６に導電性の接着剤又はテープを貼り付けて電子機器の筐体に固定する。
これにより、容量性内部フィルタ５の導体筒５３、外部筒２ｂの内側面の第１導電性素材２６、外部筒２ｂの外側両端部分の第２導電性素材２７、台座６及び電子機器の筐体は、電気的に接続された状態となる。
【００３７】
そして、シールドケーブル１０に装荷されたノイズフィルタ１は、シールドケーブル１０の外導体１０１に重畳した電磁ノイズを、容量性内部フィルタ５の誘電体５４、容量性内部フィルタ５の導体筒５３、外部筒２ｂ及び台座６を介して電子機器の筐体（ＦＧ）へグラウンドするように機能する。すなわち、外部筒２ｂ全体を導体で構成しなくとも、実施の形態１と同等の機能を実現することができる。
【００３８】
以上のように、この実施の形態２によれば、外部筒２ｂを、円筒形状の絶縁体２５と、絶縁体２５の内側面に配置された第１導電性素材２６と、絶縁体２５の台座６と接触する外側部分に配置され、第１導電性素材２６と電気的に接続された第２導電性素材２７とから構成しても、実施の形態１と同様の効果を得ることができる。
【００３９】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４０】
１  シールドケーブル用ノイズフィルタ、２，２ｂ  外部筒、３  内部フィルタユニット、４  誘導性内部フィルタ、５  容量性内部フィルタ、６  台座（電気接続部）、１０  シールドケーブル、２１  下部外部筒、２２  上部外部筒、２３  開閉機構、２４  固定ストッパ、２５  絶縁体、２６，２７  第１，２導電性素材、４１，５１  下部フィルタ筒、４２，５２  上部フィルタ筒、４３  磁性体（誘導性部材）、５３  導体筒、５４  誘電体（容量性部材）、１０１  外導体、１０２  信号線。
【図１】
0005881532.tif 000003
【図２】
0005881532.tif 000004
【図３】
0005881532.tif 000005
【図４】
0005881532.tif 000006
【図５】
0005881532.tif 000007
【図６】
0005881532.tif 000008
【図７】
0005881532.tif 000009
【図８】
0005881532.tif 000010
【図９】
0005881532.tif 000011
【図１０】
0005881532.tif 000012
【図１１】
0005881532.tif 000013
【図１２】
0005881532.tif 000014
【図１３】
0005881532.tif 000015
【図１４】
0005881532.tif 000016
【図１５】
0005881532.tif 000017